(57)【特許請求の範囲】
【請求項１】
外部通信光ケーブルを各階に設けられた分配器に接続する建屋内外部通信伝送路において、
外部通信光ケーブルを分岐する主配線盤と、
各階の昇降路壁を貫通するように前記昇降路壁の中に取り付けられた取付ケースと、
前記取付ケースに収容された外部通信光ケーブル接続コネクタと、
前記外部通信光ケーブル接続コネクタと前記分配器とを同一階において接続する分配器接続光ケーブルと、
各前記外部通信光ケーブル接続コネクタ間を複数のグループにグループ化して接続するために昇降路内に配置された外部通信渡り光ケーブルと、
前記各グループの外部通信光ケーブル接続コネクタと前記主配線盤を接続するために昇降路内に配置された建屋内外部通信光ケーブルと、
を含む建屋内外部通信伝送路。
【請求項２】
複数のグループの外部通信渡り光ケーブルは、複数の昇降路に配置されていること、
を特徴とする請求項１に記載の建屋内外部通信伝送路。
【請求項３】
前記取付ケースは、各階に設けられる呼び出し用操作盤背面の前記昇降路壁を貫通するように前記昇降路壁の中に取り付けられたことを特徴とする請求項１または２に記載の建屋内外部通信伝送路。
【請求項４】
前記取付ケースは、各階の天井裏に接する前記昇降路壁を貫通するように前記昇降路壁の中に取り付けられたことを特徴とする請求項１または２に記載の建屋内外部通信伝送路。
【請求項５】
前記取付ケースは、各階の床上と接する前記昇降路壁を貫通するように前記昇降路壁の中に取り付けられたことを特徴とする請求項１または２に記載の建屋内外部通信伝送路。
【請求項６】
前記取付ケースは、各階の上げ床部と接する前記昇降路壁を貫通するように前記昇降路壁の中に取り付けられたことを特徴とする請求項１または２に記載の建屋内外部通信伝送路。
【発明の詳細な説明】
【技術分野】
【０００１】
本発明は、建屋内に設けられる外部との通信伝送路に関する。
【背景技術】
【０００２】
近年、インターネットなどの普及に伴って、高速大容量の通信伝送路は必須の要件となりつつある。また、従来このような大容量通信伝送路が必要なかった中小の事務所ビルあるいは集合住宅などにおいてもその必要性が増してきている。これらの通信伝送路は、ＬＡＮ（Ｌｏｃａｌ  Ａｒｅａ  Ｎｅｔｗｏｒｋ）の利用等を目的として光ケーブルを敷設することによって構成することが多くなされている。
【０００３】
図４に光ケーブルによる通信伝送路網を示す。基幹光ケーブル１０１によって各基幹局１０７が接続され基幹光ネットワークが形成される。各基幹局１０７には基幹分配器１０８が設けられ、基幹光ケーブル１０１を各幹線光ケーブル１０２に分岐する。各幹線光ケーブル１０２は分岐点１０９にて各建物１１４に向かう支線光ケーブル１０３を分岐する。各支線光ケーブル１０３は各建物１１４の主配線盤１１０に接続される。主配線盤１１０からは建屋内光ケーブル１０４によって建物各階の分配器１１１に接続され、各分配器から個別光ケーブル１０６によって各個の端末１１２に接続されている。各個別の住宅１１７に接続する時には、幹線光ケーブル１０２の分岐点１０９から光ドロップケーブル１１６によって接続器１１３に接続され、ここから屋内の個別光ケーブル１０６によって各個の端末１１２に接続される。
【０００４】
上記の基幹光ケーブル１０１、幹線光ケーブル１０２、支線光ケーブル１０３、建屋内光ケーブル１０４は、複数の大容量あるいは中小容量回線であることから、図５（ａ）のように、数十から数百のテープ心線１２１を溝つきスペーサ１２２のスロット１２６に収容し外面を押さえ巻き１２４およびポリエチレンシース１２５で覆ったテープスロット型ケーブル１２０が用いられる。また、個別光ケーブル１０６には図５（ｂ）のような１つのテープ心線１２１の周りをポリエチレンシース１２５で覆ったインドアケーブル１３０が用いられる。テープ心線１２１は石英ガラスでできている非常に脆弱な光ファイバを保護するために、その周囲を紫外線硬化樹脂で覆った心線を複数本並べてさらに紫外線硬化樹脂で覆ったものである。また、光ケーブルの敷設時に光ファイバに張力がかかり破損することを防止するためにテープスロット型ケーブル、インドアケーブルともに鋼線からなるテンションメンバ１２３が埋め込まれている。
【０００５】
光ファイバはその特性上、曲がると伝播特性が劣化したり、破損が生じたりすることから、各ケーブルに最小曲げ半径が規定されている。幹線光ケーブル１０２に用いられる、数百心をまとめた大容量のテープスロット型ケーブルではその最小曲げ半径は３００〜６００ｍｍ、支線光ケーブル１０３、建屋内光ケーブル１０４に用いられる数十心をまとめた中小容量のテープスロット型ケーブルでもその最小曲げ半径は１００〜２００ｍｍで、個別光ケーブル１０６に用いられる単心のインドアケーブルでは１５〜３０ｍｍ程度となっている。このため、建屋内光ケーブル１０４は専用の直線状の縦配線路に設置され、分配器からの個別光ケーブル１０６は各個への曲げ配管の中に設置されている。
【発明の開示】
【発明が解決しようとする課題】
【０００６】
古いビル、あるいは中小の事務所ビルあるいは集合住宅はこのような光ファイバケーブルによる高速大容量の通信伝送路を設置することを考慮した設計となっていないため、上記のような直線状の縦配線路を設置できるようなスペースがなく、光ファイバケーブルによる高速大容量の通信伝送路を敷設できない状況が発生してきている。いくつかの曲がり配線路がある場合には、主配線盤１１０のそばに分配器１１１を配置し、そこから各個の端末まで個別光ケーブル１０６を敷設することが考えられるが、少数のケーブルの場合は可能であっても、数百箇所もの端末があるビルや集合住宅では、このような大規模な個別光ケーブルを設置することは困難で、実質的には光ファイバケーブルによる高速大容量の通信伝送路を敷設することは非常に困難であった。
【０００７】
そこで、このような建物内へ光ケーブルを敷設する場合は、建物の各階の床に穴開けし、建物の縦方向に光ケーブルを敷設する縦配線路を設けていた。そのために、まず各階の床をＸ線による非破壊検査等で検査して、床の中に埋め込まれている電気ケーブルや配管の位置を事前調査し、それらの場所を避けて床に穴開け施工して、その穴に直線状の縦配線管を設置して、配管中に光ケーブルを敷設する方法が行われている。
【０００８】
しかし、建物の各階の床に穴開け施工を行うことは、非破壊検査等による事前調査と床が厚いことによる大規模工事が必要になることから、工期とコストが増大するという問題があった。また、光ファイバケーブルは光ファイバに張力を掛けないように設置することが必要なことから、縦配線路に多くのサポートをとることが必要で、工期とコストが増大するという問題があった。
【０００９】
そこで、本発明の目的は、建屋に床の穴あけなどの大規模工事をすることなく、縦配線路のサポート数を少なくして、建屋の居住者に光ケーブルを短期間にかつ低コストの工事で、敷設することが可能な建屋内外部通信伝送路を提供することにある。
【課題を解決するための手段】
【００１０】
本発明の建屋内外部通信伝送路は、外部通信光ケーブルを各階に設けられた分配器に接続する建屋内外部通信伝送路において、外部通信光ケーブルを分岐する主配線盤と、各階の昇降路壁を貫通するように前記昇降路壁の中に取り付けられた取付ケースと、前記取付ケースに収容された外部通信光ケーブル接続コネクタと、前記外部通信光ケーブル接続コネクタと前記分配器とを同一階において接続する分配器接続光ケーブルと、各前記外部通信光ケーブル接続コネクタ間を複数のグループにグループ化して接続するために昇降路内に配置された外部通信渡り光ケーブルと、前記各グループの外部通信光ケーブル接続コネクタと前記主配線盤を接続するために昇降路内に配置された建屋内外部通信光ケーブルと、を含むことを特徴とする。ここで、複数のグループの外部通信渡り光ケーブルは、複数の昇降路に配置されていてもよい。
【００１１】
本発明の建屋内外部通信伝送路において、前記取付ケースは、各階に設けられる呼び出し用操作盤背面の前記昇降路壁を貫通するように前記昇降路壁の中に取り付けられてもよいし、前記取付ケースは、各階の天井裏に接する前記昇降路壁を貫通するように前記昇降路壁の中に取り付けられてもよいし、前記取付ケースは、各階の床上と接する前記昇降路壁を貫通するように前記昇降路壁の中に取り付けられてもよいし、前記取付ケースは、各階の上げ床部と接する前記昇降路壁を貫通するように前記昇降路壁の中に取り付けられてもよい。
【発明の効果】
【００１２】
本発明による建屋内外部通信伝送路は、建屋の昇降機の昇降路内に外部通信ケーブルを配置するため、床の非破壊検査等による事前調査や穴開け施工が不要で光ケーブルの敷設が容易になり、建屋内の居住者に外部通信伝送路を短期間にかつ低コストの工事で、敷設することができるという効果を奏する。
【発明を実施するための最良の形態】
【００１３】
以下に図面を用いて本発明に係る実施の形態につき、詳細に説明する。図１から図３は本発明の第１から第３の実施形態の建屋内外部通信伝送路の説明図である。
【実施例１】
【００１４】
図１は、建屋１の中に設置された昇降機２の昇降路３０とその中に配置された、昇降機の制御用ケーブル配置と建屋内外部通信伝送路を示している。建屋１は、複数の階を有し、その複数の階を連絡するために昇降機２が設置されている。昇降機は建屋に設けられた昇降路３０の中を上下に移動するように設置され、昇降路３０の最上部の機械室には昇降機を駆動するための巻き上げ機などの駆動機構及び昇降機制御盤が設置されている。建屋の各階には昇降機を呼び出すための押しボタンなどが配置された呼び出し用操作盤２２が設けられている
【００１５】
外部の幹線通信路から分岐した外部通信ケーブル３は建屋１の中に引き込まれ、建屋内の主配線盤１０に接続されている主配線盤１０は外部通信ケーブル３を複数の建屋内外部通信ケーブル４に分岐している。建屋の各階にはケーブルを各個に分配する分配器１１が設置されている。主配線盤１０と分配器１１とは、一端に主配線盤側建屋内外部通信ケーブル接続コネクタ９ｂが取り付けられた建屋内外部通信ケーブル４と、一端に分配器側外部建屋内外部通信ケーブル接続コネクタ９ａが取り付けられた分配器接続ケーブル７によって接続されている。主配線盤側建屋内外部通信ケーブル接続コネクタ９ｂと分配器側外部建屋内外部通信ケーブル接続コネクタ９ａが取り付けられた建屋内外部通信ケーブル接続コネクタ９は、取り付けケース３５によって昇降路壁３２に固定されている。また、分配器１１相互間は、一端に分配器側外部通信ケーブル接続コネクタ８ａが取り付けられた分配器接続ケーブル７と一端に渡りケーブル側外部通信ケーブル接続コネクタ８ｂが取り付けられた外部通信渡りケーブル５によって、昇降路３０の中で接続されている。
【００１６】
図１に示すように、外部通信渡りケーブル５は複数の階に設置されている分配器１１相互を順次接続して１つのグループを形成し、そのグループに属する各分配器１１と主配線盤１０を接続している。図１において、１階から３階までの各階の分配器１１は外部通信渡りケーブル５によって順次接続されて第１のグループを形成し、４階から６階までの各階の分配器１１も外部通信渡りケーブル５によって順次接続されて第２のグループを形成している。上記第１、第２のグループの分配器１１の内、１階の分配器１１と、４階の分配器１１は建屋内外部通信ケーブル接続コネクタ９を介して建屋内外部通信ケーブル４によって主配線盤１０に接続されている。このように外部通信渡りケーブル５によって形成されるグループ毎に分配器１１と主配線盤１０が接続されている。また、各階の分配器１１と各個の端末１２の間は個別接続ケーブル１３によって接続されている。
【００１７】
建屋内外部通信ケーブル４、外部通信渡りケーブル５は、数十心をまとめた中小容量のテープスロット型ケーブルが用いられるため、最小曲げ半径が１００〜２００ｍｍとなるように昇降路内に配置される。また、分配器接続ケーブル７も同様のテープスロット型ケーブルが用いて呼び出し用操作盤２２の近傍に配置される。一方、個別接続ケーブル１３は最小曲げ半径は１５〜３０ｍｍ単心のインドアケーブルが用いられるので、分配器１１から既設の電話回線配管などの曲がり配管内に自在に配置される。
【００１８】
本発明の第１の実施形態によると、最小曲げ半径が１００〜２００ｍｍの数十心をまとめた中小容量のテープスロット型ケーブルを床に孔をあけずに配置できることから、床の非破壊検査等による事前調査や穴開け施工が不要で光ケーブルの敷設が容易になり、建屋内の居住者に外部通信伝送路を短期間にかつ低コストの工事で、敷設することができるという効果を奏する。また、各階を接続する渡りケーブルは長さが各階高程度であることから、コネクタ間のケーブル重量は軽量で別途ケーブルサポートを設置しなくとも光ファイバを損傷することがないので、特別なサポートなしでケーブルを敷設することができ、現場作業を低減し工事を短期間にすることができるという効果を奏する。また、外部通信渡りケーブル５によって分配器１１が複数のグループにグループ化されていることから、必要なエリアごとに分配器１１を配置することができる。例えば、図１の第１のグループが１つの企業で第２のグループが別の企業のような場合、あるいは建屋の構成上、第１のグループは東側のみに事務所が設置されており、第２のグループは西側にのみ事務所が設置されているような場合に各グループによって建屋内外部通信ケーブル４、外部通信渡りケーブル５の配置をケーブル長さが最適になるように配置することができ、全ケーブル長さを短くできるという効果を奏する。
【実施例２】
【００１９】
本発明の第２の実施形態について図２を参照しながら説明する。第１の実施形態と同様の部分については同様の符号を用い説明は省略する。
【００２０】
第２の実施形態は、第１の実施形態で説明した第１のグループと第２のグループを別々の昇降路３０に配置したものである。このように配置することにより、第１の実施形態の
効果より更に配線の分散化を図ることができる効果を奏する。特に上記の第１のグループ、第２のグループが建屋の中で離れた場所にある場合などには、最短配線となるような昇降路を選んで建屋内外部通信伝送路を配置することができることから、更に配線を効率化することができるという効果を奏する。
【実施例３】
【００２１】
第３の実施形態は、各階の天井裏に接する昇降路壁あるいは各階の天井裏に、あるいは、各階の床上に接する昇降路壁あるいは上げ床に接する昇降路壁に外部通信ケーブル接続コネクタを設けて、建屋内外部通信伝送路を構成したものである。
【００２２】
第３の実施形態において、図３の４階から６階までの主配線盤１０と分配器１１は、取り付けケース３５によって天井裏５２に接する昇降路壁３２に固定されている建屋内外部通信ケーブル接続コネクタ９、外部通信ケーブル接続コネクタ８及び、建屋内外部通信ケーブル４、分配器接続ケーブル７、外部通信渡りケーブル５、によって接続されている。また、図３の１階から３階までの主配線盤１０と分配器１１は、取り付けケース３５によって床５０に接する昇降路の壁又は、上げ床と接する昇降路壁３２に固定されている建屋内外部通信ケーブル接続コネクタ９、外部通信ケーブル接続コネクタ８及び、建屋内外部通信ケーブル４、分配器接続ケーブル７、外部通信渡りケーブル５、によって接続されている。そして、第１の実施形態と同様に、第１のグループと第２のグループにグループ化されている。
【００２３】
このように、天井裏に配線する場合、第１の実施形態の効果に加えてさらに、空きスペースである天井裏スペースを分配器接続ケーブル７や個別接続ケーブル１３の配線スペースとして利用できることから配線が容易になる上、分配器１１や配線を目立たなくする美観上の効果があることに加え、第三者の手が届かない場所にこれらの機器を設置することができることから、第三者のいたずらを防止することができる効果がある。また、床上に接する昇降路壁を通して配線する場合には、分配器接続ケーブル７は床上に敷設されたカーペットの下に配設するアンダーカーペット配線とされ、分配器１１までの配線を目立たなくすることができる効果を奏する上、配線を床上において処理することができることから、設置工事の作業性が優れ、工事が容易になるという効果を奏する。更に上げ床に接する昇降路壁を通して配線した場合には、分配器接続ケーブル７は上げ床の中を通すことができること、配線を床上において処理することができることから、上記と同様、設置工事の作業性が優れ、工事が容易になるという効果を奏する。床上の接続箱５５に接続した場合も上記同様の効果を奏する。
【産業上の利用可能性】
【００２４】
本発明はエレベータなどの人貨用の昇降機の昇降路に限らず、小荷物専用昇降機や、自動車用エレベータなどの昇降路に外部通信伝送路を敷設する場合にも同様に適用することができる。また、主配線盤１０は建屋の下部に設置した場合に限らず建屋の上部の機械室の中など、どこに設置してもよい。
【図面の簡単な説明】
【００２５】
【図１】本発明の第１の実施形態の建屋内外部通信伝送路の説明図である。
【図２】本発明の第２の実施形態の建屋内外部通信伝送路の説明図である。
【図３】本発明の第３の実施形態の建屋内外部通信伝送路の説明図である。
【図４】光ケーブルによる通信伝送路網の概念図である。
【図５】光ファイバケーブルの断面図である。
【符号の説明】
【００２６】
１  建屋、２  昇降機、３  外部通信ケーブル、４  建屋内外部通信ケーブル、５  外部通信渡りケーブル、７  分配器接続ケーブル、８  外部通信ケーブル接続コネクタ、８ａ  分配器側外部通信ケーブル接続コネクタ、８ｂ  渡りケーブル側外部通信ケーブル接続コネクタ、９  建屋内外部通信ケーブル接続コネクタ、９ａ  分配器側外部建屋内外部通信ケーブル接続コネクタ、９ｂ  主配線盤側建屋内外部通信ケーブル接続コネクタ、１０  主配線盤、１１  分配器、１２  端末、１３  個別接続ケーブル、２２  呼び出し用操作盤、３０  昇降路、３２  昇降路壁、３５  取り付けケース、１０３  支線光ケーブル、１０４  建屋内光ケーブル、１０６  個別光ケーブル、１０７  基幹局、１０８  基幹分配器、１１０  主配線盤、１１１  分配器、１１２  端末、１１３  接続器、１１４  建物、１２０  テープスロット型ケーブル、１２１  テープ心線、１２２  溝つきスペーサ、１２３  テンションメンバ、１２４  押さえ巻き、１２５  ポリエチレンシース、１２６  スロット、１３０  インドアケーブル。
【図１】
0004673722.tif 000002
【図２】
0004673722.tif 000003
【図３】
0004673722.tif 000004
【図４】
0004673722.tif 000005
【図５】
0004673722.tif 000006